(57)【要約】【課題】  折板屋根の排水等の機能を損なうことなく、極めて簡単、迅速に施工できる折板屋根用緑化システムを提供すること。【解決手段】  折板屋根用緑化システム１０は、金属製の折板屋根１２と、植栽層１４と、網目状の部材１６を含んで構成されている。網目状の部材１６は、折板屋根１２の多数の凸部１２Ａの上に敷設され取り付け部材２０により固定されている。植栽層１４は、土壌を保持する土壌保持機能および透水性を有し網目状の部材１６の上に載置される透水層３２と、透水層３２の上に敷設される土壌層３４と、土壌層３４の上に敷設される植栽マット３６とで構成されている。植栽マット３６は押え部材４０により土壌層３４側に押さえ付けられている。【選択図】図１
2005068800.tif 000002
【特許請求の範囲】
【請求項１】
多数の折板が連結されて構成され凸部と凹部が交互に位置してそれらが直線状に延在する折板屋根と、
前記折板屋根の上に設置される植栽層とからなり、
前記植栽層は、土壌を保持する土壌保持機能および透水性を有する透水層と、前記透水層の上に敷設される土壌層と、植物がマットに植え込まれ前記土壌層の上に敷設される植栽マットとで構成され、
前記植栽層は、前記多数の凸部の上に敷設されて固定され多数の凸部の上を延在する網目状の部材の上に載置されて配設されている、
ことを特徴とする折板屋根用緑化システム。
【請求項２】
前記折板屋根は隣り合う前記折板が前記凸部の上部で重ね合わされて連結され前記凸部の上方に突出する突条が形成されており、前記網目状の部材は前記突条の上に載置されて配設されていることを特徴とする請求項１記載の折板屋根用緑化システム。
【請求項３】
前記網目状の部材は前記突条の上に取り付け部材により取り付け固定され、前記取り付け部材は、前記突条に締め付け固定され前記網目状の部材が載置される締結部と、前記締結部から上方に突出する雄ねじ部と、前記雄ねじ部に挿通され網目状の部材を押さえるための押え具と、前記雄ねじ部に結合されるナットとを有し、前記締結部と押え具との間に網目状の部材が位置してナットにより締め付け固定されていることを特徴とする請求項２記載の折板屋根用緑化システム。
【請求項４】
前記植栽マットの表面を前記土壌側に押さえ付ける押え部材が設けられていることを特徴とする請求項１記載の折板屋根用緑化システム。
【請求項５】
前記網目状の部材は前記突条の上に取り付け部材により取り付け固定され、前記植栽マットの表面は押え部材により前記土壌側に押さえ付けられ、前記取り付け部材は、前記突条に締め付け固定され前記網目状の部材が載置される締結部と、前記締結部から上方に突出する雄ねじ部と、前記雄ねじ部に挿通され網目状の部材を押さえるための押え具と、前記雄ねじ部に結合されるナットとを有し、前記締結部と押え具との間に網目状の部材が位置してナットにより締め付け固定され、前記押え部材は、前記植栽層を挿通して植栽マットの上方に突出する前記雄ねじ部分と、この雄ねじ部分に挿通された押え具と、この雄ねじ部分に螺合するナットとを有し、ナットの締め付けにより押え具が植栽マットを土壌層側に押さえ付けていることを特徴とする請求項１記載の折板屋根用緑化システム。
【請求項６】
前記網目状の部材の縁部には、土壌の流出を阻止する見切り材が取着されていることを特徴とする請求項１記載の折板屋根用緑化システム。
【発明の詳細な説明】
【技術分野】
【０００１】
本発明は、折板屋根を緑化する折板屋根用緑化システムに関するものであり、既設あるいは新設を問わず、極めて簡単、迅速に施工でき、かつ折板屋根の排水等の機能を損なうことがないようにすることができるセダム等による薄層緑化を可能とした折板屋根用緑化システムに関する。
【背景技術】
【０００２】
従来の薄層緑化技術は、植物の根や土壌からの浸出水の成分等により建築構造物に悪影響がないように防水及び防根シートを緑化システムと建築構造物の間に敷設し、その上に排水層を設けることが共通した仕様となっている。そして、その排水層の上に軽量化された特殊土壌を敷設し、セダムや芝等を植栽する構成となっている。
また、施工方法としては、全て現地で施工する方法や施工のしやすさ等を考慮し、一定サイズにユニット化して敷き並べるものなどいくつかの方法がある。
しかし、全ての方法に共通していることは陸屋根あるいは勾配屋根等の面材に対する緑化システムであり、基本的には、植栽の基盤が平面であることを前提とした構成となっている。
【０００３】
従来の薄層緑化システムは、基本的に平面上に設置することを前提としており、金属折板屋根には施工技術的困難で不向きである。
一方、生産施設や倉庫は、建設費の低減することとできるだけ無駄な空間を作らず、空間を有効に利用しつつ、雨水の流出を速やかにするために独特の金属折板屋根となっている場合が多い。このように金属板が折れ曲がって平坦な面でない屋根に対しては、従来の薄層緑化システムの構成・部材では、植栽自身を支持することができない。
その解決方法として以下の方法が考えられる。
仮に屋根部材の金属腐食を考慮して、何らかの防水シート等を敷設した後、折板屋根の形状に沿った形で敷設する方法が考えられる。従来の薄層緑化システムで部材に柔軟性があるものは折半屋根の凹凸に沿って敷設することは可能である。しかし、仮に敷設できたとしても凸部から凹部にいたる傾斜部分と平坦部分は、保水量が異なりやすく、その結果として植物の生育の不均一が起き易くなる。
もうひとつの考え方として、折板の凹部に軽量土壌や何らかの排水可能な物質を入れ凸部と同じ高さとし全体を平面にした後、通常の薄層緑化をする方法も考えられている。
【発明の開示】
【発明が解決しようとする課題】
【０００４】
しかし、この方法は、如何に重量が少ない軽量土壌等を利用するにしても徒に荷重を増加させる結果になり、また雨水を効率的に流出させる折板の機能を無駄にする結果となる。
このように従来の薄層緑化システムでは、金属折半屋根の機能を保持しつつ適切な緑化をすることは多くの技術的かつコスト的課題がある。
本発明の目的は、従来の薄層緑化システムの特長と金属折板屋根の特長を共に生かした形で緑化する折板屋根用緑化システムを提供することにある。
【課題を解決するための手段】
【０００５】
前記目的を達成するため本発明は、多数の折板が連結されて構成され凸部と凹部が交互に位置してそれらが直線状に延在する折板屋根と、前記折板屋根の上に設置される植栽層とからなり、前記植栽層は、土壌を保持する土壌保持機能および透水性を有する透水層と、前記透水層の上に敷設される土壌層と、植物がマットに植え込まれ前記土壌層の上に敷設される植栽マットとで構成され、前記植栽層は、前記多数の凸部の上に敷設されて固定され多数の凸部の上を延在する網目状の部材の上に載置されて配設されていることを特徴とする。
【発明の効果】
【０００６】
本発明では、凹凸がある屋根形状を平坦にするために凸部上に平坦にする部材を設置し屋根部に固定する。この部材は、屋根部を平坦にするとともに植栽の荷重を恒久的に支持し、かつ植栽施工時においては施工作業による荷重を支持する必要がある。
植栽上に降った雨が必要量保水した後、土壌から速やかに排出される必要がある。そのために、従来のように防水シート等は全く不必要であり、むしろ排水に対して抵抗がないことが必要となる。
そのような二つの要求事項を満たす手法として、一定の強度を持った網目状の部材を利用することが極めて効果的である。このことにより、荷重を支持しながらかつ降雨を速やかに流出させられ、折板屋根の本来持っている機能と緑化が並存できることとなる。
【発明を実施するための最良の形態】
【０００７】
植栽基盤に部分的な傾斜があると、雨水の流れによって時間経過と共に植栽基盤の厚みの差が生じてくる。このことは、植物が根の張れる深さが異なることと、単位面積当りの総保水量が異なる結果となり、植物の生育の不均一を生じさせ、景観上好ましくなくなる。従って、植栽基盤の凹凸がある屋根形状を平坦にする必要がある。凹部に何らかの材料を詰めることなく凹凸を平坦にするには、凸部に平板を敷設することにより可能となる。この場合の必要条件としては、上部に敷設する植栽の荷重に十分和えられることと、腐食等によりこの部材が変質しにことと、周囲の部材に悪影響を及ぼさないことが必要条件となる。そのため、金属類としては、ステンレスないしはメッキ加工が必須となる。一定の強度と長期的な部材の変質等がなければ、折板屋根と同種類の鋼板を使用することも可能である。課題は、この鋼板を折板屋根にどのように固定するかである。風による巻き上げを十分考慮する必要がある。また、この鋼板を折板屋根に固定するために折板屋根を直接加工することは屋根部材の鋼板そのものが唯一の防水機能であることから好ましい方法ではない。従って、ボルト締めのような下地金具を丸ハゼ部に取り付け、一度屋根部の鋼板と切り離した部材を取り付け、その部材と植栽用の下地である鋼板をビス止等をする必要がある。この場合、当然下地金物等はステンレスないしはメッキ加工である必要がある。しかし、通常金属より硬いため穴あけやビス止等の加工がしにくい難点がある。更に、工程が多く、経済的に不利になる。
【０００８】
もう一つの観点である、雨水の速やかな排出という観点から見ると、ガルバリウム鋼板で凹凸部を平坦にし植栽した場合、凹部に雨水は流下せず、植栽基盤下に設ける薄い排水層を経由して流下することとなる。通常屋上緑化システムは、出来るだけシステム厚を低くするため1cm程度の厚みの場合が多い。雨量が一定以上になると屋根の水下部分においては排水層の厚さ以上に雨水が流下する場合が招じてくる。その結果、その流れが植栽基盤を下方へ引っ張る力となったり、更に雨量が多いと表面流も増加し、土壌や植物の流亡現象が起きやすくなる。このことは、屋根末端部にある樋の詰まり等を招き様々なトラブルに発展しやすい。
上記鋼板によって凹凸部を平坦にする手法の課題を解決する方法として網目状の部材を使用することを考案した。網目状の部材の場合、ボルト締めのような形でハゼ部に取り付けた下地金具との固定も網目であるがゆえに金属平板より容易である。また、雨水は植栽基盤を通過した後、網目状の部材を速やかに流下する。
【０００９】
網目状の部材で凹凸部を平坦にする方法で課題と考えられるのは、荷重強度と雨水が速やかに流下するがゆえに植物にとって必要な水分が保持されるか否かである。従来植物にとって水は不可欠であり、全体が網目状であれば保水量が不充分植物の生育に不適切であると考えられていた。また、網目構造は強度的に不利であると考えられていた。
薄層緑化システムの場合、基本的にシステムが薄いことが重量が少ないことにほぼ連動しており、通常40〜50kg/m2であることが多い。この程度の荷重強度に関しては、例えば、網目状の部材として金網を用いるとすると、金網の鋼線の太さと金網のメッシュ寸法の組合せを考慮することで可能となる。また、保水力に関しては、重力水は速やかに流下されるが従来方法より保水力の大きい材料を用いた保水層や植栽基盤材料を使用することで可能となる。
つまり、網目状の部材を敷設・固定した後、速やかな排水を促す目的とその排水層の上に敷設される保水層や植栽基盤である特殊軽量土壌が均一に敷設できるように一定の強度と網目を持った部材を敷設する。その上に、保水や植物の栄養を考慮した基盤を敷設する。
また、通常の屋上緑化システムでは植物の根による屋根材料への悪影響を除外するために防根シートなどを屋根部材と接する部分に敷設する必要があるが、本発明では、植物が保水層と排水板を経由して伸張しようとしたとしても空中では植物の根は伸張できなのでそれ以上根が伸張することはない。従って防根シートのような部材は不必要となる。
【実施例１】
【００１０】
図１は屋根の凹凸の延在方向と直交する方向における折板屋根用緑化システムの断面図、図２は屋根の凹凸の延在方向における折板屋根用緑化システムの断面図、図３（Ａ）は取り付け部材の平面図、（Ｂ）は取り付け部材の正面図、図４は別の取り付け部材の正面図、図５は押え部材の正面図を示す。
実施例に係る折板屋根用緑化システム１０は、金属製の折板屋根１２と、植栽層１４と、網目状の部材１６等を含んで構成されている。
折板屋根用緑化システム１０は、既設、新設を問わず、金属折板屋根１２を加工することなく施工される。
折板屋根１２は、多数の金属製の折板が連結されて構成され凸部１２Ａと凹部１２Ｂが交互に位置してそれらが直線状に延在しており、本実施例では、隣り合う折板が凸部１２Ａの上部で重ね合わされて連結され凸部１２Ａの上方に突出する突条１２Ｃが形成されている。
このような構成からなる折板屋根１２の上に網目状の部材１６が配置され、その上に植栽層１４が配置されている。
【００１１】
網目状の部材１６は、多数の凸部１２Ａの上に敷設されて固定され多数の凸部１２Ａの上を平面的に延在している。本実施例では、網目状の部材１６は多数の突条１２Ｃの上に載置され固定されて配設されている。
網目状の部材１６の突条１２Ｃへの固定は、各突条１２Ｃにそれぞれ一定の間隔をおいて取着された多数の取り付け部材２０によりなされている。
取り付け部材２０は、図３に示すように、突条１２Ｃに締め付け固定され網目状の部材１６が載置される締結部２０Ａと、締結部２０Ａから上方に突出する雄ねじ部２０Ｂと、雄ねじ部２０Ｂに挿通され網目状の部材１６を押さえるための押え具２０Ｃと、雄ねじ部２０Ｂに結合されるナット２０Ｄとを有し、締結部２０Ａと押え具２０Ｃとの間に網目状の部材１６が位置しナット２０Ｄにより締め付けられ、網目状の部材１６が多数の突条１２Ｃの上に固定されている。
押え具２０Ｃとして、市販品であるワッシャが用いられている。
【００１２】
締結部２０Ａを更に詳細に説明すると、締結部２０Ａは、フレーム２００２とボルト２００４とで構成されている。フレーム２００２は、上面と、上面の両端から下方に屈曲され互いに対向する側面とを有し、一方の側面にボルト２００４がねじ結合され、雄ねじ部２０Ｂは前記上面から突出している。フレーム２００２は、一対の側面で突条１２Ｃを跨ぐように配置され、ボルト２００４の締め付けにより突条１２Ｃがフレームの他方の側面とボルト２００４により締め付けられ、これにより締結部２０Ａが突条１２Ｃに固定されている。なお、このような締結部２０Ａの構成は、屋根の凸部１２Ｂや突条１２Ｃの形状に対応して異なる。
なお、図４に示すように、網目状の部材１６の縁部近傍に配置される取り付け部材２０の締結部２０Ａに、網目状の部材１６の縁部や後述する見切材２２に当接可能な当接板２０Ｔを設けると、折板屋根１２上での網目状の部材１６や植栽層１４のずれを阻止する上で有利となる。
【００１３】
本実施例では、網目状の部材１６として市販品である金網を用いた。より詳細には、網目状の部材１６として直径3ｍｍのワイヤーで作製された20〜30mmメッシュの金網を用いた。この金網は、金属腐食が生じないものであれば、ステンレス製でもメッキ製でもかまわない。
また、本実施例では、網目状の部材１６の縁部に、土壌等の流出を防止するための一定の高さの見切材２２が設けられている。この見切材２２は、土壌が流出せず、形状が変化したり、金属腐食をおこさないものであれば、材質は問わない。レンガであってもステンレス金具であってもかまわない。実施例では、見切材２２として屈曲形成されたステンレス鋼板が用いられ、網目状の部材１６の縁部に溶接により、あるいはワイヤーなどで固定されている。
【００１４】
植栽層１４は、土壌を保持する土壌保持機能および透水性を有する透水層３２と、透水層３２の上に敷設される土壌層３４と、土壌層３４の上に敷設される植栽マット３６とで構成されている。
透水層３２は、本実施例では、透水性排水板３２０２と、透水性排水板３２０２の上に敷設される透水シート３２０４とで構成されている。
透水性排水板３２０２は、網目状の部材１６の上に、部分的に偏りがなく平滑に緑化基盤が敷設でき、かつ雨水を速やかに流下できるものであればよい。すなわち、透水性排水板３２０２は、この上に施工される植栽基盤が平滑に敷設でき、その荷重を受け、経年変化をせず、かつ速やかに雨水が流下しするものであれば材質は問わない。実施ではポリプロピレン製の透水性排水板（10mm）を用いている。
透水シート３２０４は、植栽基盤である特殊土壌の流出をとめ、すなわち、土壌を保持し、かつ土壌の目詰まりがなく、雨水の流下が速やかに行われるするためのものであり、透水シート３２０４の材質は問わない。
【００１５】
土壌層３４は、保水粒子層３４０２と土壌３４０４とで構成されている。
保水粒子層３４０２は、透水シート３２０４の上に、セラミック製保水粒子が10mmの均一な厚さで敷設されることで構成されている。このセラミック製保水粒子は、直径が2〜3ｍｍ程度のものを用いる。この保水粒子は、植物にとって必要な雨水のみを確保し、それ以外の雨水を排出する上で重要な機能を果たす。
土壌３４０４は、保水粒子層３４０２の上に、保水力及び保肥力が大きく、かつ軽量であるものが30mmの均一な厚さで敷設される。この土壌３４０４の保水力、保肥力が大きいことは植物の水分及び栄養供給にとって重要であるばかりでなく、持続的に植物の生育が良好であるために土壌微生物の生育環境を適切にするためにも重要である。つまり、植物の新陳代謝とともに脱落する根等の植物体が不適切に分解することは植物の持続的生育にとって障害となるため、自然界の土壌に近い土壌微生物環境にすることで持続的な植物生育を確保することが可能となる。
【００１６】
植栽マット３６は、植物を予めマットに植え込んだものであり、植物育成用の市販品の植栽マットを使用可能である。この植栽マット３６による施工方法は、運搬の容易さと施工の迅速さをもたらすとともに、一定の比率の緑被率を確保する上で重要である。
植栽マット３６は風による飛散を防ぐために固定されることが望ましく、本実施例では押え部材４０により植栽マット３６が土壌層３４側に押さえ付けられている。
植栽マット３６を土壌層３４側に押さえ付ける押え部材４０の構成は、種々考えられるが、本実施例では、網目状の部材１６を折板屋根１２に取り付ける取り付け部材２０を利用して押え部材４０が構成されている。
【００１７】
すなわち、取り付け部材２０は、図３に示すように、締結部２０Ａと、締結部２０Ａから上方に突出する雄ねじ部２０Ｂと、押え具２０Ｃと、ナット２０Ｄとで構成されており、雄ねじ部２０Ｂは、20mm程度あれば十分であるが、図５に示すように、この雄ねじ部２０Ｂの長さが70mm程度とした取り付け部材２０を多数用意し、例えば、３つに１つは長さが70mmの雄ねじ部２０Ｂを有する取り付け部材２０を用いるようにする。そして、雄ねじ部２０Ｂを、植栽層１４を挿通させて植栽マット３６の上方に突出させ、この雄ねじ２０Ｂ部分に押え具４０Ａを挿通し、ナット４０Ｂを螺合し、ナット４０Ｂの締め付けにより押え具４０Ａが植栽マット３６を土壌層３４側に押さえ付けている。
したがって、本実施例では、網目状の部材１６または折板屋根１２に取り付け固定された雄ねじ部２０Ｂと、雄ねじ部２０Ｂが挿通される押え具４０Ａと、雄ねじ部２０Ｂに螺合するナット４０Ｂとで押え部材４０が構成されている。
このように植栽マット３６を土壌層３４側に押さえ付ける押え部材４０の構成は種々考えられるが、実施例のように、網目状の部材１６を折板屋根１２に取り付ける取り付け部材２０を利用して押え部材４０を構成すれば、押え部材４０を安価に製作でき、コストを削減する上で極めて有利となる。
【図面の簡単な説明】
【００１８】
【図１】屋根の凹凸の延在方向と直交する方向における折板屋根用緑化システムの断面図である。
【図２】屋根の凹凸の延在方向における折板屋根用緑化システムの断面図である。
【図３】取り付け部材の説明図である。
【図４】別の取り付け部材の説明図である。
【図５】押え部材の正面図である。
【符号の説明】
【００１９】
１０……折板屋根用緑化システム、１２……折板屋根、１４……植栽層、１６……網目状の部材、２０……取り付け部材、３２……透水層、３４……土壌層、３６……植栽マット、４０……押え部材。
【図１】
2005068800.tif 000003
【図２】
2005068800.tif 000004
【図３】
2005068800.tif 000005
【図４】
2005068800.tif 000006
【図５】
2005068800.tif 000007